(57)【要約】      （修正有）【課題】金属切削工場から排出される切粉を混入した使用済切削油から切粉を除去した濾過済切削油を再生切削油とする装置を提供する。【解決手段】切粉を混入した使用済切削油中から切粉を除去して濾過済切削油とする一次フィルターである濾過装置１に併設される濾過済切削油貯留槽２内に集められた濾過済切削油をポンプに送る漏斗形部材３の一方側は濾過済切削油貯留槽に集められた濾過済切削油を吸い込む濾過済切削吸い込み部とし、他方側はポンプ９に連通する連通管を設けた濾過済切削油送り器材として配し、濾過済切削油送り器材の連通管の先端にはポンプを、該ポンプには、濾過済切削油を再生切削油とする二次フィルターを連通し、二次フィルターで処理された再生切削油は再生切削油を貯留する再生切削油貯留槽１２に回収するようにするとともに、再生切削油中の余剰再生切削油は濾過済切削油貯留槽に戻す構成とした。【選択図】図１
0003187098.tif 000002
【実用新案登録請求の範囲】
【請求項１】
金属切削工場から排出される切粉と称する金属小破片を混入した使用済切削油中から切粉を除去して濾過済切削油とする一次フィルターである濾過装置に併設される濾過済切削油貯留槽内に、該濾過済切削槽内に集められた濾過済切削油をポンプに送る器材として、上部を大径口とし、下部を小径口とする漏斗形部材のその小径口に、一方側は該濾過済切削油貯留槽に集められた濾過済切削油を吸い込む濾過済切削吸い込み部とし、他方側はポンプに連通する連通管を設けた濾過済切削油送り器材として配し、前記した濾過済切削油送り器材を形成する連通管の先端にはポンプを配するとともに、該ポンプには、濾過済切削油を更に濾過して再生切削油とする二次フィルターを連通し、二次フィルターで処理された前記再生切削油は再生切削油を貯留する再生切削油貯留槽に回収するようにするとともに、再生切削油中の余剰再生切削油は前記濾過済切削油貯留槽に戻す構成としたことを特徴とする濾過装置。
【考案の詳細な説明】
【技術分野】
【０００１】
本考案は、一次フィルターで処理された濾過済切削油を更に二次フィルターで処理して再生切削油とする濾過装置に関する考案である。
【背景技術】
【０００２】
金属切削工場からは、切粉と称する金属小破片を混入した使用済切削油が排出される。この使用済切削油の中から混入する小破片を取り除くための濾過作業が濾過装置である一次フィルターによって行われ、この金属小破片である切粉を取り除いて濾過済切削油とし、この濾過済切削油を金属切削工場に送り返し給油して再度金属切削作業に使うこととしている。
この手段を実行する技術について、特開２０１３−１７９１４号、特開２００９−６３０号、特開２００５−６６８２０号公報等に記載されている。
【０００３】
その送り返し給油に当たっては、前記した特許公報に記載された技術では濾過済切削油を二次フィルターに通して更に小さな金属破片を取り除いた再生切削油とすることが行われていたが、この二次作業を行うに当たって効率よく再生切削油とする手段記載されていなかった。
【先行技術文献】
【特許文献】
【０００４】
【特許文献１】・・・特開２０１３−１７９１４号公報
【特許文献２】・・・特開２００５−６６８２０号公報
【特許文献３】・・・特開２００９−６３０号公報
【考案の概要】
【考案が解決しようとする課題】
【０００５】
本考案は、前記した濾過済切削油を効率よく再生切削油とする装置を提供し、且つ濾過済切削油貯留槽に切粉が堆積するのを極力少なくし、堆積除去作業であるメンテナンス作業の手間を軽減することができる装置を提供するものである。
【課題を解決するための手段】
【０００６】
金属切削工場から排出される切粉と称する金属小破片を混入した使用済切削油中から切粉を除去して濾過済切削油とする一次フィルターである濾過装置に併設される濾過済切削油貯留槽内に、該濾過済切削槽内に集められた濾過済切削油をポンプに送る器材として、上部を大径口とし、下部を小径口とする漏斗形部材のその小径口に、一方側は該濾過済切削油貯留槽に集められた濾過済切削油を吸い込む濾過済切削吸い込み部とし、他方側はポンプに連通する連通管を設けた濾過済切削油送り器材として配し、前記した濾過済切削油送り器材を形成する連通管の先端にはポンプを配するとともに、該ポンプには、濾過済切削油を更に濾過して再生切削油とする二次フィルターを連通し、二次フィルターで処理された前記再生切削油は再生切削油を貯留する再生切削油貯留槽に回収するようにするとともに、再生切削油中の余剰再生切削油は前記濾過済切削油貯留槽に戻す構成とした。
【考案の効果】
【０００７】
濾過済切削油貯留槽中に収容される濾過済切削油中には、径時的に再生切削油が供給されるようになり、濾過済切削油貯留槽中には堆積する切粉を少なくすることができる。
【図面の簡単な説明】
【０００８】
【図１】本考案に係る濾過装置の構成の説明略図
【図２】本考案に係る濾過装置の要部の構成の説明略図
【実施例】
【０００９】
本考案の実施例を図示して説明する。
図１は、本考案の実施の態様の説明図である。
図中１は、使用済切削油の中から切粉を取り除いて濾過済切削油とするための従来から使用されている濾過装置に併設される濾過済切削油貯留槽を本考案実施する貯留槽とした場合の略図である。
【００１０】
図中２は、従来から使用されている濾過装置に併設される濾過済切削油貯留槽に相当する濾過済切削油貯留槽に濾過装置から投入される濾過済切削油をポンプに向かって送通する濾過済切削油送り器材１０を配した略図であるが、本考案の濾過済切削油貯留槽２は図面に示すとおり、濾過装置１から濾過済切削油を濾過済切削油貯留槽２中に上部から投入されるよう位置づけされて配置される。
【００１１】
濾過済み切削油を投入される濾過済切削油貯留槽２内には、濾過装置１の濾過済切削油投下口１Ａの下に上部を大径口とし、下部を小径口とする漏斗形部材３を配する。
この漏斗形部材３は、上部を前記濾過装置１から排出する濾過済切削油が投入される大径口の開口４として形成され、下部を前記小径口の開口から濾過済切削油を排出する小径口の排出筒５として形成される。
【００１２】
この排出筒５の下端の開口には逆Ｔ形ジョイント６が取り付けられている。
この逆Ｔ形ジョイント６の上向き開口は図に示すとおり前記排出筒５の小径口に連結されている。
前記逆形ジョイント６の一方の開口（図に示された左側開口）には、前記貯留層２に投入された濾過済切削油を吸い込む吸い込み口７となっている。
前記Ｔ形ジョイント６の他方の開口（図に示された右側）には、前記漏斗形部材３の排出筒５並びに前記逆ジョイント６の前記開口７から流入する濾過済切削油を吸い込んでポンプ９に送る送通管８が配される。
その送通管８の先端はポンプ９に連結されている。
【００１３】
即ち、漏斗形部材３並びに一方を濾過済切削油吸い込み口７とし、他方に送通管８を配したＴ形ジョイント６を以て濾過済切削油送り器材１０が構成されている。
そのポンプ９は濾過済切削油を再生切削油とする機能を発揮するフィルター１１に連結されている。
そのフィルター１１の下には、フィルター１１で濾過された再生切削油を収容する再生切削油貯留槽１２が配置されている。
【００１４】
前記した構成から成る装置を稼働すると一次処理装置１で処理された濾過済切削油は、貯留槽２に投入される。
該貯留槽２に投入された濾過済切削油が該貯留槽２に配置された漏斗形部材３の上部開口４より上回る水位まで投入されたときは、該濾過済切削油は、液面に浮遊する小破片も含めて該漏斗形部材３の上部開口４から、また、前記部材３の排出筒５下端に取り付けられた逆Ｔ字型ジョイント６の一方側の濾過済切削油吸い込み口７から該槽の底に沈澱する小破片を含めて前記Ｔ字型ジョイント６の他方側の送通管８を通ってポンプ９によってフィルター１０に送られる。
【００１５】
フィルター１０を通過した濾過済切削油は、該濾過済切削油に混入した小切粉を除去されて再生切削油としてフィルター１１から流出する再生切削油は、再生切削油貯留槽１２に再生切削油として流出して貯留され、また、前記した再生切削油は、場合によってはフィルター１１の分岐路を通って、或いは濾過済切削油貯留槽２に流出させられる。再生切削油貯留槽１２内に貯留された再生切削油は再生切削油となってポンプ口によって汲み出されて循環パイプによって金属切削工場に送り出される。
【００１６】
図２は、濾過済切削油貯留槽２内に投入された濾過済切削油の水位によって、該濾過済切削油が漏斗形部材３に流入する状態の解説図である。
即ち、水位Ｈ、水位Ｍの状態のときは前記槽２に投入された濾過済切削油は、前記漏斗形器材３の開口に入り込み、また、Ｔ形ジョイント６の吸い込み口７から吸い込まれるが、水位Ｌの状態のときは、上記部材３の開口には入り込まないかＴ形ジョイント６の吸い込み口７からは吸い込まれる。
【００１７】
しかし、濾過済切削油の水位がＴ形ジョイント６の配置高さに達しないときは濾過済切削油はＴ形ジョイント６の吸い込み口７からは吸い込まれず、場合によってはポンプが空転して装置が故障してしまうことがある。
このようなことがおきないように場合によってはフィルター１０で濾過された再生切削油を常に前記濾過済切削油貯留槽２に補充流入することが必要である。
本考案は、この点も配慮した構成とした。
【００１８】
その他、濾過済切削油貯留槽２の底面に切粉堆積層のできるのを極力阻止することができるような構成とした。その結果、該槽２の底に堆積した切粉を除去するメンテナンス作業を軽減することができる。
【００１９】
前記実施例の説明では、実施例として金属切削工場から排出される切粉と称される金属小破片を混入した使用済切削油中から切粉を取り除いて濾過済切削油とし、この濾過済切削油中から更に濾過済切削油中に混入されている金属小破片を除去して再生切削油とする作業を行う濾過手段について説明したが、本考案の濾過手段は、金属切削工場から排出される使用済切削油ばかりでなく、金属研磨、金属研削工場から排出される金属微小破片である金属屑を混入した研磨油、研削油についても、また塗装工場から排出される塗料カスを除却する濾過手段にも使用することができることは勿論である。
【符号の説明】
【００２０】
１    濾過装置
２    濾過済切削油貯留槽
３    漏斗状部材
６    逆形ジョイント
８    濾過済切削油送り器材
９    ポンプ
１１  フィルター
【図１】
0003187098.tif 000003
【図２】
0003187098.tif 000004